(57)【要約】【課題】点検ミスの発生を効果的に抑制することができるようにする。【解決手段】安全点検箇所の点検対象機器が稼動可能な状態にある場合に識別コードが読み取り不能に構成されると共に、点検対象機器が稼動不可能な状態にある場合に識別コードが読み取り可能に構成された識別コード付着装置１２、識別コード付着装置１２に付与された識別コードを読み取る情報読取部を有する点検端末装置１４、及び、点検端末装置１４の情報読取部により識別コードを読み取ることで得られた識別情報に基づき点検結果の管理を行う点検管理装置１６を備える。【選択図】図１
2008305008.tif 000002
【特許請求の範囲】
【請求項１】
安全点検箇所に対応して付与された識別コードを読み取ることにより点検を行い、その点検結果の管理を行う安全点検管理システムであって、安全点検箇所の点検対象機器が稼動可能な状態にある場合に前記識別コードが読み取り不能に構成されると共に、前記点検対象機器が稼動不可能な状態にある場合に前記識別コードが読み取り可能に構成された識別コード付着装置と、この識別コード付着装置に付与された識別コードを読み取る情報読取部を有する点検端末装置と、この点検端末装置の情報読取部により前記識別コードを読み取ることで得られた識別情報に基づき点検結果の管理を行う点検管理装置とを備えたことを特徴とする安全点検管理システム。
【請求項２】
前記識別コード付着装置は、電源コンセントと、この電源コンセントの周辺に付与される識別コードを覆う位置に遮蔽板を移動させて識別コードを読み取り不能にすると共に、前記遮蔽板を前記識別コードを露出させる位置に移動させて識別コードを読み取り可能にする遮蔽部材とを備えたもので、前記遮蔽板を識別コードを覆う位置に移動させることで前記電源コンセントへの電源プラグの差し込みを可能にすると共に、前記遮蔽板を識別コードを露出させる位置に移動させることで前記電源コンセントへの電源プラグの差し込みを不能にするものであることを特徴とする請求項１記載の安全点検管理システム。
【請求項３】
前記電源コンセントは、識別コードが付与されるプレート状のカバーが嵌合されたものであり、前記遮蔽部材は、前記カバーの端部に固定された支持板を備え、前記遮蔽板が前記識別コードを覆う位置と露出させる位置との間で回動可能となるように前記支持板に支持されたものであることを特徴とする請求項２記載の安全点検管理システム。
【請求項４】
前記識別コード付着装置は、識別コードが付与される基板と、この基板に対し前記識別コードを覆う位置に配設され、光透過度を調節することで透視状態と不透視状態とに切り替え可能な調光ガラスとを備えたもので、前記点検対象機器が稼動可能な状態にある場合に前記調光ガラスを不透視状態にすることで識別コードを読み取り不能にし、前記点検対象機器が稼動不可能な状態にある場合に前記調光ガラスを透視状態にすることで識別コードを読み取り可能にするものであることを特徴とする請求項１記載の安全点検管理システム。
【請求項５】
前記調光ガラスは、内面に透明導電膜を配設した２枚の板ガラスの間に液晶が充填されて構成されたものであり、前記２枚の板ガラスの透明導電膜間に電圧が印加された場合に前記液晶の分子配列が光を透過させる状態となることで透視状態となり、前記２枚の板ガラスの透明導電膜間に電圧が印加されない場合に前記液晶の分子配列が光を透過させない状態となることで不透視状態となるものであることを特徴とする請求項４記載の安全点検管理システム。
【請求項６】
前記点検端末装置は、前記情報読取部により前記識別コードを読み取ることで得られた識別情報を前記点検管理装置に送信する送信部を備え、前記点検管理装置は、前記点検端末装置から送信されてきた識別情報を受信する受信部と、前記点検端末装置から送信されてきた識別情報に基づき所定の点検作業が終了したか否かを判別する点検判別部と、この点検判別部での判別結果に応じたメッセージが記憶されているメッセージ記憶部と、このメッセージ記憶部から前記判別結果に応じたメッセージを読み出すメッセージ読出部と、このメッセージ読出部で読み出されたメッセージを含む点検結果を記録紙にプリントするプリンタとを備えたことを特徴とする請求項１乃至５の何れかに記載の安全点検管理システム。
【請求項７】
前記点検端末装置の情報読取部は、当該点検端末装置のオペレータの個人コードを読み取るものであり、前記点検端末装置の送信部は、前記情報読取部により前記個人コードを読み取ることで得られた個人情報を前記点検管理装置に送信するものであり、前記点検管理装置の受信部は、前記点検端末装置から送信されてきた個人情報を受信するものであり、前記点検管理装置のプリンタは、受信した個人情報を含む点検結果を記録紙に記録するものであることを特徴する請求項６記載の安全点検管理システム。
【請求項８】
前記点検管理装置は、前記点検端末装置から送信されてきた個人情報が当該点検管理装置に予め登録されている個人情報と一致するか否かを判別する個人判別部と、この個人判別部で一致していると判別された場合に前記点検端末装置から送信される識別情報の受信を可能にし、一致していないと判別された場合に前記点検端末装置から送信される識別情報の受信を不能にする受信制御部とを備えたことを特徴とする請求項７記載の安全点検管理システム。
【請求項９】
前記点検端末装置は、前記安全点検箇所の点検作業の開始時刻と終了時刻とを取得するためのタイマーと、前記点検作業が予め設定されている点検時間帯に実施されているか否かを判別する点検時刻判別部と、この点検時刻判別部で前記点検作業が前記点検時間帯に実施されていると判別された場合に前記情報読取部により読み取られた前記識別コードの入力情報記憶部への取り込みを可能にし、前記点検作業が前記点検時間帯に実施されていないと判別された場合に前記識別コードの前記入力情報記憶部への取り込みを不能にする読取制御部とを備えたことを特徴とする請求項１乃至８の何れかに記載の安全点検管理システム。
【請求項１０】
前記点検管理装置は、前記点検端末装置に備わるタイマーの時刻を更新する時刻更新情報を送信する送信部を備え、前記点検端末装置は、前記点検管理装置から送信されてきた時刻更新情報を受信する受信部と、受信した時刻更新情報に基づき時刻を更新する時刻更新部とを備えたことを特徴とする請求項９記載の安全点検管理システム。
【請求項１１】
前記点検管理装置は、前記点検端末装置による点検作業内容を更新する点検更新情報を送信する送信部を備え、前記点検端末装置は、前記点検管理装置から送信されてきた点検更新情報を受信する受信部と、この受信部で受信した点検更新情報に基づき前記点検作業内容の更新を行う点検内容更新部とを備えたことを特徴とする請求項１乃至９の何れかに記載の安全点検管理システム。
【請求項１２】
安全点検箇所に対応して付与された識別コードを読み取ることにより点検を行い、その点検結果の管理を行う安全点検管理システムに適用される識別コード付着装置であって、前記安全点検箇所の点検対象機器が稼動可能な状態にある場合に当該安全点検箇所に対応して付与される識別コードが読み取り不能に構成されると共に、前記点検対象機器が稼動不可能な状態にある場合に前記安全点検箇所に対応して付与される識別コードが読み取り可能に構成されたことを特徴とする識別コード付着装置。
【請求項１３】
電源コンセントと、この電源コンセントの周辺に付与される識別コードを覆う位置に遮蔽板を移動させて識別コードを読み取り不能にすると共に、前記遮蔽板を前記識別コードを露出させる位置に移動させて識別コードを読み取り可能にする遮蔽部材とを備えたもので、前記遮蔽板を識別コードを覆う位置に移動させることで前記電源コンセントへの電源プラグの差し込みを可能にすると共に、前記遮蔽板を識別コードを露出させる位置に移動させることで前記電源コンセントへの電源プラグの差し込みを不能にするものであることを特徴とする請求項１２記載の識別コード付着装置。
【請求項１４】
前記電源コンセントは、識別コードが付与されるプレート状のカバーが嵌合されたものであり、前記遮蔽部材は、前記カバーの端部に固定された支持板を備え、前記遮蔽板が前記識別コードを覆う位置と露出させる位置との間で回動可能となるように前記支持板に支持されたものであることを特徴とする請求項１３記載の識別コード付着装置。
【請求項１５】
前記識別コードが付与される基板と、この基板に対し前記識別コードを覆う位置に配設され、光透過度を調節することで透視状態と不透視状態とに切り替え可能な調光ガラスとを備えたもので、前記点検対象機器が稼動可能な状態にある場合に前記調光ガラスを不透視状態にすることで識別コードを読み取り不能にし、前記点検対象機器が稼動不可能な状態にある場合に前記調光ガラスを透視状態にすることで識別コードを読み取り可能にするものであることを特徴とする請求項１２記載の識別コード付着装置。
【請求項１６】
前記調光ガラスは、内面に透明導電膜を配設した２枚の板ガラスの間に液晶が充填されて構成されたものであり、前記２枚の板ガラスの透明導電膜間に電圧が印加された場合に前記液晶の分子配列が光を透過させる状態となることで透視状態となり、前記２枚の板ガラスの透明導電膜間に電圧が印加されない場合に前記液晶の分子配列が光を透過させない状態となることで不透視状態となるものであることを特徴とする請求項１５記載の識別コード付着装置。
【発明の詳細な説明】
【技術分野】
【０００１】
本発明は、複数の安全点検箇所の点検結果の管理を行う安全点検管理システム及び安全点検管理システムに適用される識別コード付着装置に関する。
【背景技術】
【０００２】
近年、デパートやスーパーなどの大型商業施設内に設置されている電源コンセントやガス遮断弁などの安全点検の実施が必要な箇所（安全点検箇所）に付与されているバーコードなどの識別コードを各テナントの点検管理者の帰宅時などにバーコードリーダなどの識別コード読取装置で読み取り、その読み取った識別情報に基づいて防災センターなどに配設されているパーソナルコンピュータなどから構成された点検管理装置によりデータ処理を行い、その処理結果をディスプレイや記録紙などに一覧表示させるなどして各テナントの点検結果を集中的に管理するようにした安全点検管理システムが提案されている（例えば、特許文献１）。
【０００３】
このような安全点検管理システムでは、安全点検箇所に付与されている識別コードを識別コード読取装置で読み取ることで点検作業を行うことから点検作業の容易化と迅速化とを図ることができるという利点を有している。なお、各テナントの点検管理者の帰宅時などに他の勤務者が執務中や作業中であるなどの理由で、電源プラグが電源コンセントに差し込まれた状態で電気器具などの点検対象機器が稼働可能な状態におかれている場合やガス遮断弁が開かれた状態でガス器具などの点検対象機器が稼働可能な状態におかれている場合には、その旨を示すコメント情報が識別コードの読み取りに併せて識別コード読取装置により入力されることになる。
【特許文献１】特開２００２−２９８２７２号公報
【発明の開示】
【発明が解決しようとする課題】
【０００４】
しかしながら、上記従来の安全点検管理システムでは、点検作業の容易化と迅速化とを図ることができるとはいうものの、勤務者が執務中や作業中などであることにより電源プラグが電源コンセントに差し込まれた状態で電気器具などの点検対象機器が稼働可能な状態におかれている場合やガス遮断弁が開かれた状態でガス器具などの点検対象機器が稼働可能な状態におかれている場合であっても、電源プラグの抜き差し状態やガス遮断弁の開閉状態に関係なく識別コードの読み取りが可能であることから、識別コードを読み取っただけでコメント入力を忘れるなどした場合は安全点検作業が終了したことになってしまい、単にドアの施錠などの点検を行う場合とは異なって火災発生などの重大事故につながる点検ミスになるという問題があった。
【０００５】
本発明は、このような事情に鑑みてなされたもので、点検ミスの発生を効果的に抑制することができる安全点検管理システム及び当該システムに適用される識別コード付着装置を提供することを目的とする。
【課題を解決するための手段】
【０００６】
上記目的を達成するため、請求項１の発明は、安全点検箇所に対応して付与された識別コードを読み取ることにより点検を行い、その点検結果の管理を行う安全点検管理システムであって、安全点検箇所の点検対象機器が稼動可能な状態にある場合に前記識別コードが読み取り不能に構成されると共に、前記点検対象機器が稼動不可能な状態にある場合に前記識別コードが読み取り可能に構成された識別コード付着装置と、この識別コード付着装置に付与された識別コードを読み取る情報読取部を有する点検端末装置と、この点検端末装置の情報読取部により前記識別コードを読み取ることで得られた識別情報に基づき点検結果の管理を行う点検管理装置とを備えたことを特徴としている。
【０００７】
請求項２の発明は、請求項１に係るものにおいて、前記識別コード付着装置が、電源コンセントと、この電源コンセントの周辺に付与される識別コードを覆う位置に遮蔽板を移動させて識別コードを読み取り不能にすると共に、前記遮蔽板を前記識別コードを露出させる位置に移動させて識別コードを読み取り可能にする遮蔽部材とを備えたもので、前記遮蔽板を識別コードを覆う位置に移動させることで前記電源コンセントへの電源プラグの差し込みを可能にすると共に、前記遮蔽板を識別コードを露出させる位置に移動させることで前記電源コンセントへの電源プラグの差し込みを不能にするものであることを特徴としている。
【０００８】
請求項３の発明は、請求項２に係るものにおいて、前記電源コンセントが、識別コードが付与されるプレート状のカバーが嵌合されたものであり、前記遮蔽部材が、前記カバーの端部に固定された支持板を備え、前記遮蔽板を前記識別コードを覆う位置と露出させる位置との間で回動可能となるように前記支持板に支持するものであることを特徴としている。
【０００９】
請求項４の発明は、請求項１に係るものにおいて、前記識別コード付着装置が、識別コードが付与される基板と、この基板に対し前記識別コードを覆う位置に配設され、光透過度を調節することで透視状態と不透視状態とに切り替え可能な調光ガラスとを備えたもので、前記点検対象機器が稼動可能な状態にある場合に前記調光ガラスを不透視状態にすることで識別コードを読み取り不能にし、前記点検対象機器が稼動不可能な状態にある場合に前記調光ガラスを透視状態にすることで識別コードを読み取り可能にするものであることを特徴としている。
【００１０】
請求項５の発明は、請求項４に係るものにおいて、前記調光ガラスが、内面に透明導電膜を配設した２枚の板ガラスの間に液晶が充填されて構成されたものであり、前記２枚の板ガラスの透明導電膜間に電圧が印加された場合に前記液晶の分子配列が光を透過させる状態となることで透視状態となり、前記２枚の板ガラスの透明導電膜間に電圧が印加されない場合に前記液晶の分子配列が光を透過させない状態となることで不透視状態となるものであることを特徴としている。
【００１１】
請求項６の発明は、請求項１乃至５の何れかに係るものにおいて、前記点検端末装置が、前記情報読取部により前記識別コードを読み取ることで得られた識別情報を前記点検管理装置に送信する送信部を備え、前記点検管理装置が、前記点検端末装置から送信されてきた識別情報を受信する受信部と、前記点検端末装置から送信されてきた識別情報に基づき所定の点検作業が終了したか否かを判別する点検判別部と、この点検判別部での判別結果に応じたメッセージが記憶されているメッセージ記憶部と、このメッセージ記憶部から前記判別結果に応じたメッセージを読み出すメッセージ読出部と、このメッセージ読出部で読み出されたメッセージを含む点検結果を記録紙にプリントするプリンタとを備えたことを特徴としている。
【００１２】
請求項７の発明は、請求項６に係るものにおいて、前記点検端末装置の情報読取部が、当該点検端末装置のオペレータの個人コードを読み取るものであり、前記点検端末装置の送信部が、前記情報読取部により前記個人コードを読み取ることで得られた個人情報を前記点検管理装置に送信するものであり、前記点検管理装置の受信部が、前記点検端末装置から送信されてきた個人情報を受信するものであり、前記点検管理装置のプリンタが、受信した個人情報を含む点検結果を記録紙に記録するものであることを特徴としている。
【００１３】
請求項８の発明は、請求項７に係るものにおいて、前記点検管理装置が、前記点検端末装置から送信されてきた個人情報が当該点検管理装置に予め登録されている個人情報と一致するか否かを判別する個人判別部と、この個人判別部で一致していると判別された場合に前記点検端末装置から送信される識別情報の受信を可能にし、一致していないと判別された場合に前記点検端末装置から送信される識別情報の受信を不能にする受信制御部とを備えたことを特徴としている。
【００１４】
請求項９の発明は、請求項１乃至８の何れかに係るものにおいて、前記点検端末装置が、前記安全点検箇所の点検作業の開始時刻と終了時刻とを取得するためのタイマーと、前記点検作業が予め設定されている点検時間帯に実施されているか否かを判別する点検時刻判別部と、この点検時刻判別部で前記点検作業が前記点検時間帯に実施されていると判別された場合に前記情報読取部により読み取られた前記識別コードの入力情報記憶部への取り込みを可能にし、前記点検作業が前記点検時間帯に実施されていないと判別された場合に前記識別コードの前記入力情報記憶部への取り込みを不能にする読取制御部とを備えたことを特徴としている。
【００１５】
請求項１０の発明は、請求項９に係るものにおいて、前記点検管理装置が、前記点検端末装置に備わるタイマーの時刻を更新する時刻更新情報を送信する送信部を備え、前記点検端末装置が、前記点検管理装置から送信されてきた時刻更新情報を受信する受信部と、受信した時刻更新情報に基づき時刻を更新する時刻更新部とを備えたことを特徴としている。
【００１６】
請求項１１の発明は、請求項１乃至９の何れかに係るものにおいて、前記点検管理装置が、前記点検端末装置による点検作業内容を更新する点検更新情報を送信する送信部を備え、前記点検端末装置は、前記点検管理装置から送信されてきた点検更新情報を受信する受信部と、この受信部で受信した点検更新情報に基づき前記点検作業内容の更新を行う点検内容更新部とを備えたことを特徴としている。
【００１７】
請求項１２の発明は、安全点検箇所に対応して付与された識別コードを読み取ることにより点検を行い、その点検結果の管理を行う安全点検管理システムに適用される識別コード付着装置であって、前記安全点検箇所の点検対象機器が稼動可能な状態にある場合に当該安全点検箇所に対応して付与される識別コードが読み取り不能に構成されると共に、前記点検対象機器が稼動不可能な状態にある場合に前記安全点検箇所に対応して付与される識別コードが読み取り可能に構成されたことを特徴としている。
【００１８】
請求項１３の発明は、請求項１２に係るものにおいて、電源コンセントと、この電源コンセントの周辺に付与される識別コードを覆う位置に遮蔽板を移動させて識別コードを読み取り不能にすると共に、前記遮蔽板を前記識別コードを露出させる位置に移動させて識別コードを読み取り可能にする遮蔽部材とを備えたもので、前記遮蔽板を識別コードを覆う位置に移動させることで前記電源コンセントへの電源プラグの差し込みを可能にすると共に、前記遮蔽板を識別コードを露出させる位置に移動させることで前記電源コンセントへの電源プラグの差し込みを不能にするものであることを特徴としている。
【００１９】
請求項１４の発明は、請求項１３に係るものにおいて、前記電源コンセントが、識別コードが付与されるプレート状のカバーが嵌合されたものであり、前記遮蔽部材が、前記カバーの端部に固定された支持板を備え、前記遮蔽板が前記識別コードを覆う位置と露出させる位置との間で回動可能となるように前記支持板に支持されたものであることを特徴としている。
【００２０】
請求項１５の発明は、請求項１２に係るものにおいて、前記識別コードが付与される基板と、この基板に対し前記識別コードを覆う位置に配設され、光透過度を調節することで透視状態と不透視状態とに切り替え可能な調光ガラスとを備えたもので、前記点検対象機器が稼動可能な状態にある場合に前記調光ガラスを不透視状態にすることで識別コードを読み取り不能にし、前記点検対象機器が稼動不可能な状態にある場合に前記調光ガラスを透視状態にすることで識別コードを読み取り可能にするものであることを特徴としている。
【００２１】
請求項１６の発明は、請求項１５に係るものにおいて、前記調光ガラスが、内面に透明導電膜を配設した２枚の板ガラスの間に液晶が充填されて構成されたものであり、前記２枚の板ガラスの透明導電膜間に電圧が印加された場合に前記液晶の分子配列が光を透過させる状態となることで透視状態となり、前記２枚の板ガラスの透明導電膜間に電圧が印加されない場合に前記液晶の分子配列が光を透過させない状態となることで不透視状態となるものであることを特徴としている。
【発明の効果】
【００２２】
請求項１の発明によれば、識別コード付着装置が、安全点検箇所の点検対象機器が稼動可能な状態にある場合に識別コードが読み取り不能に構成されると共に、点検対象機器が稼動不可能な状態にある場合に識別コードが読み取り可能に構成されているので、点検対象機器が稼動不可能な状態にある場合にだけ識別コード付着装置に付与される識別コードを読み取ることができる結果、点検ミスの発生を効果的に抑制することができる。
【００２３】
請求項２の発明によれば、識別コード付着装置が、電源コンセントと、この電源コンセントの周辺に付与される識別コードを覆う位置に遮蔽板を移動させて識別コードを読み取り不能にすると共に、遮蔽板を識別コードを露出させる位置に移動させて識別コードを読み取り可能にする遮蔽部材とを備えたものであるので、点検対象機器が稼動不可能な状態にある場合にだけ識別コード付着装置に付与される識別コードを読み取ることができる結果、点検ミスの発生を効果的に抑制することができる。
【００２４】
請求項３の発明によれば、電源コンセントが、識別コードが付与されるプレート状のカバーが嵌合されたものであり、遮蔽部材が、カバーの端部に固定された支持板を備え、遮蔽板が識別コードを覆う位置と露出させる位置との間で回動可能となるように支持板に支持されたものであるので、点検対象機器が稼動不可能な状態にある場合にだけ識別コード付着装置に付与される識別コードを読み取ることができる結果、点検ミスの発生を効果的に抑制することができる。
【００２５】
請求項４の発明によれば、識別コード付着装置が、識別コードが付与される基板と、この基板に対し識別コードを覆う位置に配設され、光透過度を調節することで透視状態と不透視状態とに切り替え可能な調光ガラスとを備えたもので、点検対象機器が稼動可能な状態にある場合に調光ガラスを不透視状態にすることで識別コードを読み取り不能にし、点検対象機器が稼動不可能な状態にある場合に調光ガラスを透視状態にすることで識別コードを読み取り可能にするものであるので、点検対象機器が稼動不可能な状態にある場合にだけ識別コード付着装置に付与される識別コードを読み取ることができる結果、点検ミスの発生を効果的に抑制することができる。
【００２６】
請求項５の発明によれば、調光ガラスが、内面に透明導電膜を配設した２枚の板ガラスの間に液晶が充填されて構成されたものであり、２枚の板ガラスの透明導電膜間に電圧が印加された場合に液晶の分子配列が光を透過させる状態となることで透視状態となり、２枚の板ガラスの透明導電膜間に電圧が印加されない場合に液晶の分子配列が光を透過させない状態となることで不透視状態となるものであるので、点検対象機器が稼動不可能な状態にある場合にだけ識別コード付着装置に付与される識別コードを読み取ることができる結果、点検ミスの発生を効果的に抑制することができる。
【００２７】
請求項６の発明によれば、点検端末装置が識別情報を点検管理装置に送信する送信部を備え、点検管理装置が識別情報を受信する受信部と、送信されてきた識別情報に基づき所定の点検作業が終了したか否かを判別する点検判別部と、点検判別部での判別結果に応じたメッセージが記憶されているメッセージ記憶部と、メッセージ記憶部から判別結果に応じたメッセージを読み出すメッセージ読出部と、メッセージ読出部で読み出されたメッセージを含む点検結果を記録紙にプリントするプリンタとを備えているので、点検端末装置による点検結果に応じたメッセージの付加された点検結果を記録紙にプリントすることができ、オペレータなどはその記録紙を視認することで点検結果を容易に確認することができる。
【００２８】
請求項７の発明によれば、点検端末装置の情報読取部が点検端末装置のオペレータの個人コードを読み取るものであり、点検端末装置の送信部が個人コードを読み取ることで得られた個人情報を点検管理装置に送信するものであり、点検管理装置の受信部が送信されてきた個人情報を受信するものであり、点検管理装置のプリンタが受信した個人情報を含む点検結果を記録紙に記録するものであるので、個人情報を含むメッセージの付加された点検結果を記録紙にプリントすることができ、オペレータなどはその記録紙を視認することで点検結果を容易に確認することができる。
【００２９】
請求項８の発明によれば、点検管理装置が、点検端末装置から送信されてきた個人情報が当該点検管理装置に予め登録されている個人情報と一致するか否かを判別する個人判別部と、個人判別部で一致していると判別された場合に送信される識別情報の受信を可能にし、一致していないと判別された場合に送信される識別情報の受信を不能にする受信制御部とを備えているので、予め登録されている個人情報と一致するオペレータしか点検端末装置による点検作業を実施することができないようになり、点検作業の信頼性を向上させることができる。
【００３０】
請求項９の発明によれば、点検端末装置が、安全点検箇所の点検作業の開始時刻と終了時刻とを取得するためのタイマーと、点検作業が予め設定されている点検時間帯に実施されているか否かを判別する点検時刻判別部と、点検作業が予め設定されている点検時間帯に実施されていると判別された場合に情報読取部により読み取られた識別コードの入力情報記憶部への取り込みを可能にし、点検作業が予め設定されている点検時間帯に実施されていないと判別された場合に識別コードの入力情報記憶部への取り込みを不能にする読取制御部とを備えているので、予め設定された点検時間帯にしか点検端末装置による点検作業を実施することができないようになり、点検作業の信頼性を向上させることができる。
【００３１】
請求項１０の発明によれば、点検管理装置が、点検端末装置に備わるタイマーの時刻を更新する時刻更新情報を送信する送信部を備え、点検端末装置が、送信されてきた時刻更新情報を受信する受信部と、受信した時刻更新情報に基づき時刻を更新する時刻更新部とを備えているので、点検端末装置の時刻を点検管理装置の時刻と一致させておくことができ、点検作業の信頼性を向上させることができる。
【００３２】
請求項１１の発明によれば、点検管理装置が、点検端末装置による点検作業内容を更新する点検更新情報を送信する送信部を備え、点検端末装置が、送信されてきた点検更新情報を受信する受信部と、受信した点検更新情報に基づき点検作業内容の更新を行う点検内容更新部とを備えているので、点検端末装置による点検作業内容を必要に応じて更新することができ、点検作業内容の変化に対応して点検作業を実施することができる汎用性に優れたものとすることができる。
【００３３】
請求項１２の発明によれば、安全点検箇所の点検対象機器が稼動可能な状態にある場合に当該安全点検箇所に対応して付与される識別コードが読み取り不能に構成されると共に、点検対象機器が稼動不可能な状態にある場合に安全点検箇所に対応して付与される識別コードが読み取り可能に構成されているので、点検対象機器が稼動不可能な状態にある場合にだけ識別コードを読み取ることができる結果、点検ミスの発生を効果的に抑制することができる。
【００３４】
請求項１３の発明によれば、電源コンセントと、この電源コンセントの周辺に付与される識別コードを覆う位置に遮蔽板を移動させて識別コードを読み取り不能にすると共に、遮蔽板を識別コードを露出させる位置に移動させて識別コードを読み取り可能にする遮蔽部材とを備えたものであるので、点検対象機器が稼動不可能な状態にある場合にだけ識別コードを読み取ることができる結果、点検ミスの発生を効果的に抑制することができる。
【００３５】
請求項１４の発明によれば、電源コンセントが、識別コードが付与されるプレート状のカバーが嵌合されたものであり、遮蔽部材が、カバーの端部に固定された支持板を備え、遮蔽板が識別コードを覆う位置と露出させる位置との間で回動可能となるように支持板に支持されたものであるので、点検対象機器が稼動不可能な状態にある場合にだけ識別コードを読み取ることができる結果、点検ミスの発生を効果的に抑制することができる。
【００３６】
請求項１５の発明によれば、識別コードが付与される基板と、この基板に対し識別コードを覆う位置に配設され、光透過度を調節することで透視状態と不透視状態とに切り替え可能な調光ガラスとを備えたもので、点検対象機器が稼動可能な状態にある場合に調光ガラスを不透視状態にすることで識別コードを読み取り不能にし、点検対象機器が稼動不可能な状態にある場合に調光ガラスを透視状態にすることで識別コードを読み取り可能にするものであるので、点検対象機器が稼動不可能な状態にある場合にだけ識別コードを読み取ることができる結果、点検ミスの発生を効果的に抑制することができる。
【００３７】
請求項１６の発明によれば、調光ガラスが、内面に透明導電膜を配設した２枚の板ガラスの間に液晶が充填されて構成されたものであり、２枚の板ガラスの透明導電膜間に電圧が印加された場合に液晶の分子配列が光を透過させる状態となることで透視状態となり、２枚の板ガラスの透明導電膜間に電圧が印加されない場合に液晶の分子配列が光を透過させない状態となることで不透視状態となるものであるので、点検対象機器が稼動不可能な状態にある場合にだけ識別コードを読み取ることができる結果、点検ミスの発生を効果的に抑制することができる。
【発明を実施するための最良の形態】
【００３８】
図１は、本発明の一の実施形態に係る安全点検管理システムの構成を概略的に示す図である。この安全点検管理システム１０は、例えば、デパートやスーパーなどの大型商業施設のテナントなどにおける複数の安全点検箇所の点検管理に適用されるもので、安全点検箇所などを特定するための識別コードが付与された識別コード付着装置１２と、この識別コード付着装置１２に付与された識別コードを読み取ることで識別情報を得る点検端末装置１４と、点検端末装置１４で読み取られた識別情報に基づき点検結果の管理を行う点検管理装置１６とを備えたものである。
【００３９】
ここで、識別コード付着装置１２は、各テナントの複数の安全点検箇所に対応して配設されたもので、点検作業の対象となる電気器具やガス器具などの点検対象機器が稼動可能な状態にある場合に当該点検対象機器に対応して付与された識別コードを読み取り不能に構成すると共に、点検対象機器が稼動不可能な状態にある場合に当該点検対象機器に対応して付与された識別コードを読み取り可能に構成したものであり、その具体的構成例を図２乃至図４を参酌して説明する。なお、本発明に係る安全点検管理システム１０は、識別コード付着装置１２が配設された点検箇所に加え、ドアの鍵部近傍などに施錠を確認するために常に読み取り可能な状態の識別コード（常時読取用の識別コード）が付与された点検箇所を含んで構成することも可能である。
【００４０】
図２は、識別コード付着装置１２の一の実施例を示すもので、壁面などに取り付けられる電源コンセント機器を構成するものであり、電源コンセント２０と、電源コンセント２０に嵌合されたプレート状のコンセントカバー２２と、電気器具に電源を供給するための電源プラグ２４が電源コンセント２０に差し込まれている場合（すなわち、点検対象機器が稼動可能な状態にある場合）に識別コードを読み取り不能にすると共に、電源プラグ２４が電源コンセント２０から取り外されている場合（すなわち、点検対象機器が稼動不可能な状態にある場合）に識別コードを読み取り可能にする遮蔽部材２８とを備えたものである。なお、図２（ａ）は、識別コード付着装置１２の正面図であり、図２（ｂ）は、図２（ａ）のＡ−Ａ線における要部断面拡大側面図である。
【００４１】
ここで、電源コンセント２０は、連結された２つの差込口３０を図示の上下方向に備えた長手形状を有するものであり、コンセントカバー２２は、各差込口３０に対応する形状の貫通孔３２が形成された矩形状を有するもので、電源コンセント２０の各差込口３０に貫通孔３２を介して嵌合され、電源コンセント２０に対し長手方向の互いに対向する端部位置でねじ３４により固定されたものである。
【００４２】
このコンセントカバー２２には、電源コンセント２０周辺の各差込口３０に対応する位置にバーコードラベル３６が貼付されることで通常点検用の識別コード３８が付与される。この識別コード３８は、各差込口３０について長手方向の左右反対側の位置にそれぞれ付与されるもので、火気点検や施錠点検などの点検内容の種別、点検箇所などの識別情報を含むものである。
【００４３】
遮蔽部材２８は、各差込口３０に対応して取り付けられたもので、コンセントカバー２２に対し長手方向の互いに対向する端部位置にねじ３４で固定された支持板４０と、コンセントカバー２２と支持板４０との間に配設され、支持板４０の図示の左右方向における端部寄りの位置において回動可能に支持された遮蔽板４２とを備えたものである。
【００４４】
支持板４０は、コンセントカバー２２の表面に対向する主面部４４と、コンセントカバー２２の周面に対向する周面部４６とが形成された側面視Ｌ字形状を有するもので、主面部４４の内面側における図示の左右方向の略半部の領域に遮蔽板４２を回動可能にするための凹溝４８が形成され、この凹溝４８部分に遮蔽板４２を回動可能に支持する軸体５０が突出形成されたものである。なお、支持板４０は、遮蔽板４２が所定角度（例えば、６０°）だけ回動可能な構成となっておれば、凹溝４８を必ずしも必要としない。
【００４５】
遮蔽板４２は、長手形状を有するもので、その長手方向の一端側に形成された貫通孔４９が軸体５０に嵌合され、識別コード３８を覆うことで識別コード３８を読み取り不能にする位置（図示の下側の遮蔽板４２について言えば、仮想線で示す位置）と、識別コード３８を露出させることで識別コード３８を読み取り可能にする位置（図示の下側の遮蔽板４２について言えば、実線で示す位置）との間で回動可能に支持されたものである。すなわち、遮蔽板４２は、識別コード３８を覆う位置に移動された場合は差込口３０を開放状にすることで電源プラグ２４の差込口３０への差し込みを可能にするものであり、識別コード３８を露出させる位置に移動された場合は差込口３０を覆うようにすることで電源プラグ２４の差込口３０への差し込みを不能にするものである。
【００４６】
このように構成された識別コード付着装置１２では、遮蔽板４２が回動されて識別コード３８を覆う位置に移動されると、電源プラグ２４を差込口３０に差し込むことができることになる。このため、電源プラグ２４が電源コンセント２０に差し込まれて点検対象機器が稼動可能な状態にある場合は識別コード３８を読み取ることができないことになり、安全点検が終了したとの点検ミスが生じるのを効果的に阻止することができる。
【００４７】
また、遮蔽板４２が回動されて識別コード３８を露出させる位置に移動されると、電源プラグ２４を差込口３０に差し込むことができないことになる。このため、電源プラグ２４が差込口３０から抜き出されていて点検対象機器が稼動不能な状態にある場合は識別コード３８を読み取ることができることになり、安全点検を確実に実施することができる。
【００４８】
なお、本実施形態では、火気点検や施錠点検などの点検内容の種別、点検箇所などの識別情報を含む通常点検用の識別コード３８に加えて、バーコードラベル５２が貼付されることで勤務者の居残りなどにより通常の点検作業が実施できない場合の異常点検用の識別コード５４が付与される。この異常点検用の識別コード５４は、点検箇所を特定するための識別情報と通常点検モードから異常点検モードに自動変換するための識別情報とを含むものであって、各差込口３０について識別コード３８とは差込口３０を挟んだ反対側の位置にそれぞれ付与され、電源プラグ２４が電源コンセント２０に差し込まれて点検対象機器が稼動可能な状態にあることで通常点検用の識別コード３８を読み取ることができない場合に読み取るためのものである。このため、異常点検用の識別コード５４は、少なくとも電源プラグ２４が電源コンセント２０に差し込まれている場合には遮蔽板４２により遮蔽されない位置にあることが必要である。
【００４９】
図３は、識別コード付着装置１２の他の実施例を示すもので、壁面などに取り付けられる調光ガラス装置を構成するものであり、背面側に配設された取付基板５６と、取付基板５６に対向して配設された調光ガラス５８とを備えたものである。ここで、取付基板５６は、壁面などへの取り付け側となるものであり、周縁全域に表面側に突出する枠体６０が形成された矩形状を有するものである。また、この取付基板５６には、中央部近傍領域にバーコードラベル６２が貼着されることで通常点検用の識別コード６４が付与される。この識別コード６４は、火気点検や施錠点検などの点検内容の種別、点検箇所などの識別情報を含むものである。
【００５０】
調光ガラス５８は、ガス配管に設けられたガス遮断弁が開かれていてガス器具などの点検対象機器が稼動可能な状態にある場合に不透視状態にすることで識別コード６４を読み取り不能にすると共に、ガス遮断弁が閉じられていてガス器具などの点検対象機器が稼動不能な状態にある場合に透視状態にすることで識別コード６４を読み取り可能にするものである。なお、図３（ａ）は、識別コード６４が読み取り可能な状態にある場合を示す図
であり、図３（ｂ）は、識別コード６４が読み取り不能な状態にある場合を示す図である。
【００５１】
この調光ガラス５８は、矩形状を有する支持板６６の中央部に形成された窓部６８に取り付けられたものであり、支持板６６を取付基板５６の枠体６０で囲まれた領域内に嵌め込んで２つのねじ７０で取付基板５６に固定することで識別コード６４を覆う位置に配設されるようにしたものである。
【００５２】
この調光ガラス５８は、図４に示すように、内面に透明導電膜７２を配設した２枚の板ガラス７４の間に液晶７６を充填することで光透過度を調節可能に構成されたものである。すなわち、２枚の板ガラス７４の透明導電膜７２間に所定の電圧が印加された場合に液晶７６の分子配列が光を透過させる状態となることで２枚の板ガラス７４間が透視状態となり、２枚の板ガラス７４の透明導電膜７２間に電圧が印加されない場合に液晶７６の分子配列が光を散乱させて光を透過させない状態となることで２枚の板ガラス７４間が不透視状態となる。
【００５３】
この２枚の板ガラス７４の透明導電膜７２間に印加される電圧は、リレーなどを備えた制御回路７８によりスイッチ回路８０がオンオフ制御されるなどして供給が制御される。すなわち、制御回路７８は、ガス遮断弁８２の電磁コイル８４に電圧が印加されてガス遮断弁８２が開かれた状態にある場合、この電磁コイル８４の両端電圧を検出することで透明導電膜７２間への供給電圧が出力されないようにし、ガス遮断弁８２の電磁コイル８４に電圧が印加されないことでガス遮断弁８２が閉じられた状態にある場合、この電磁コイル８４の両端電圧を検出することで透明導電膜７２間への供給電圧が出力されるようにしたものである。
【００５４】
このように構成された識別コード付着装置１２では、ガス遮断弁８２が開かれて点検対象機器が稼動可能な状態にある場合には調光ガラス５８が不透視状態にされて識別コード６４を読み取ることができないことになり、安全点検が終了したとの点検ミスが生じるのを効果的に阻止することができる。また、ガス遮断弁８２が閉じられて点検対象機器が稼動不能な状態にある場合には調光ガラス５８が透視状態にされて識別コード６４を読み取ることができることになり、安全点検を確実に終了させることができる。
【００５５】
なお、本実施形態では、先の実施形態のものと同様に、火気点検や施錠点検などの点検内容の種別、点検箇所などの識別情報を含む通常点検用の識別コード６４に加えて、バーコードラベル８６が貼付されることで勤務者の居残りなどにより通常の点検作業が実施できない場合の異常点検用の識別コード８８が付与される。この異常点検用の識別コード８８は、点検箇所を特定するための識別情報と通常点検モードから異常点検モードに自動変換するための識別情報とを含むものであって、支持板６６における窓部６８の下方位置にバーコードラベル８６が貼付されることで付与され、ガス配管に設けられたガス遮断弁が開かれていてガス器具などの点検対象機器が稼動可能な状態にあることで通常点検用の識別コード６４を読み取ることができない場合に読み取るためのものである。
【００５６】
図１に戻り、点検端末装置１４は、テナントなどの所定の管理区分に対応して配給され、それぞれの管理区分における安全点検箇所の点検作業を行うときにオペレータ（点検作業者）により操作されるもので、例えば、図５に示すように、長筒状の本体部９０と、本体部９０の先端に配設され、識別コード付着装置１２に付与されている通常点検用の識別コード３８、６４及び異常点検用の識別コード５４、８８を読み取る情報読取部９２と、本体部９０の長手方向に沿って配設された操作ボタン９４と、本体部９０の長手方向に沿って配設された液晶表示部９６と、本体部９０の先端部であって情報読取部９２の周面に露出するように配設された発光ダイオードなどの発光素子９８と、本体部９０の先端内部に配設された発光ダイオードなどの発光素子及びフォトダイオードなどの受光素子を有する半導体光素子１００と、本体部９０の内部に配設された制御回路部１０２とを備えたものである。なお、半導体光素子１００は、後述する通信部１１６の一部を構成する。
【００５７】
本体部９０は、合成樹脂などにより構成され、安全点検箇所の点検作業時にオペレータにより把持されるものである。情報読取部９２は、通常点検用の識別コード３８、６４又は異常点検用の識別コード５４、８８にレーザ光を照射し、その反射レーザ光を受光することで識別情報を得るものであり、図略のレーザ発光照射部、反射レーザ光受光部、コード解読部などを備えた周知の構成になるものである。なお、情報読取部９２は、点検端末装置１４を操作するオペレータのネームプレートなどに付与されているバーコードなどの個人コードを読み取ることで氏名などの個人情報をも得るようにしたものである。また、情報読取部９２は、常時読取用の識別コード（ドアの鍵部近傍などに付与された常に読み取り可能な状態の識別コード）をも読み取ることができる。
【００５８】
操作ボタン９４は、オペレータにより操作されるものであり、電源ボタン９４ａ、レーザ発光ボタン９４ｂ、異常ボタン９４ｃ及び変換ボタン９４ｄを備えたものである。電源ボタン９４ａは、最初の押圧操作により電源オンにすることで点検端末装置１４を駆動状態とし、再度の押圧操作により電源オフにすることで点検端末装置１４を駆動停止状態とするものである。
【００５９】
レーザ発光ボタン９４ｂは、押圧操作を継続することにより図略のレーザ発光照射部を駆動させて情報読取部９２の先端面からレーザ光を出力させ、通常点検用の識別コード３８、６４、異常点検用の識別コード５４、８８などに照射するものである。この通常点検用の識別コード３８、６４、異常点検用の識別コード５４、８８などに照射されたレーザ光は、その反射レーザ光が図略の反射レーザ光受光部で受光され、その後に図略のコード解読部で解読されることで点検内容の種別や点検箇所などの識別情報が得られる。
【００６０】
異常ボタン９４ｃ及び変換ボタン９４ｄは、安全点検箇所の点検作業時に通常の正常な点検作業が実施できない場合に操作されるもので、「残留」、「異常」及び「その他」の３種類の状態をオペレータによる押圧操作により選択し確定するものである。これらの３種類の状態のうち、「残留」は、安全点検箇所の点検作業時に勤務者が居残っており、点検対象機器を使用中であることから点検作業ができない状態にある場合を示し、「異常」は、点検対象機器に異常があることで点検作業ができない状態にある場合を示し、「その他」は、それ以外の特別な事情があることで点検作業ができない状態にある場合を示すものである。
【００６１】
すなわち、異常ボタン９４ｃが操作されると、点検作業ができない３種類の状態のうちの１の状態を入力するための異常入力モードに設定される。本実施形態では、異常ボタン９４ｃが操作されて異常入力モードに設定されると液晶表示部９６に「残留」が表示され、その後に異常ボタン９４ｃが再び操作されることで「残留」が確定される。また、異常ボタン９４ｃが操作されて異常入力モードに設定された後に変換ボタン９４ｄが操作されると液晶表示部９６に表示されていた「残留」が「異常」に変換され、その後に異常ボタン９４ｃが操作されることで「異常」が確定される。また、変換ボタン９４ｄが操作されて液晶表示部９６に「異常」が表示された後に再び変換ボタン９４ｄが操作されると液晶表示部９６に表示されていた「異常」が「その他」に変換され、その後に異常ボタン９４ｃが操作されることで「その他」が確定される。これら確定された情報は、オペレータによる点検作業に基づく識別情報として点検端末装置１４に入力されることになる。
【００６２】
液晶表示部９６は、異常ボタン９４ｃ及び変換ボタン９４ｄが押圧操作されることで上述した「残留」、「異常」及び「その他」の３種類の識別情報を選択的に表示すると共に、後述する警告メッセージなどの種々の情報を表示するものである。発光素子９８は、情報読取部９２により通常点検用の識別コード３８、６４、異常点検用の識別コード５４、８８などを読み取ることで識別情報が得られた場合に緑色光などを出力することでオペレータの視認による読取確認を可能にするものである。
【００６３】
なお、本実施形態では、情報読取部９２により異常点検用の識別コード５４、８８が読み取られた場合は、異常ボタン９４ｃを操作しなくても自動的に異常入力モードに設定されるように構成されている。すなわち、情報読取部９２により異常点検用の識別コード５４、８８が読み取られた場合、本実施形態では、異常ボタン９４ｃが操作された場合と同様に液晶表示部９６に「残留」が表示されることになる。その後は、上述の説明と同様に異常ボタン９４ｃ及び変換ボタン９４ｄの操作により「残留」、「異常」及び「その他」のうちの１の状態が確定される。
【００６４】
制御回路部１０２は、所定の配線パターンが形成されてなる回路基板上に所定の電子部品が搭載されて構成されたものであり、図６に示すように、端末制御部１０４を備えている。この端末制御部１０４は、所定の演算処理を実行するＣＰＵ、所定の処理プログラムとデータとが記憶されたＲＯＭ、及び、処理データを一時的に記憶するＲＡＭからなるマイクロコンピュータなどにより構成されたものである。
【００６５】
この端末制御部１０４には、情報読取部９２、操作ボタン９４、液晶表示部９６及び発光素子９８が所定のインターフェイス回路を介して接続されると共に、点検管理装置１６から送信されてくる点検箇所の増減設定や点検時間帯の変更設定などの点検作業内容を更新するための点検更新情報に基づいて更新した点検作業内容を記憶する電気的に書き換え可能な点検情報記憶部１０６、情報読取部９２により通常点検用の識別コード３８、６４、異常点検用の識別コード５４、８８などを読み取ることで得られる識別情報、異常ボタン９４ｃと変換ボタン９４ｄの押圧操作により得られる識別情報及び情報読取部９２により個人コードを読み取ることで得られる個人情報を記憶する電気的に書き換え可能な入力情報記憶部１０８、並びに、点検作業を実施する際の点検時刻情報を得るためのタイマー１１０がそれぞれ所定のインターフェイス回路を介して接続されている。なお、タイマー１１０から取り込まれた点検時刻情報は、入力情報記憶部１０８に記憶される。
【００６６】
また、端末制御部１０４には、送信部１１２及び受信部１１４を備えた通信部１１６が所定のインターフェイス回路を介して接続されている。この送信部１１２は、情報読取部９２により識別コードを読み取ることで得られる識別情報、異常ボタン９４ｃと変換ボタン９４ｄの押圧操作により得られる識別情報、及び、情報読取部９２により個人コードを読み取ることで得られる個人情報を点検管理装置１６に対し光通信により送信するものであり、識別情報及び個人情報を変調する変調部、変調信号を増幅する増幅部、増幅した変調信号により半導体光素子１００を駆動する駆動部などにより構成されたものである。なお、半導体光素子１００は、その発光素子が駆動されることで本体部９０の先端面から外部に出力される赤外光信号により識別情報及び個人情報を点検管理装置１６に対し送信する。
【００６７】
受信部１１４は、点検管理装置１６から光通信により送信される点検箇所の増減設定や点検時間帯の変更設定などの点検作業内容を更新する点検更新情報とタイマー１１０の時刻を更新する時刻更新情報とを受信するものであり、半導体光素子１００に生成される信号を増幅する増幅部、増幅した信号を復調する復調部などにより構成されたものである。なお、半導体光素子１００は、その受光素子が駆動されることで点検管理装置１６から送信される赤外光信号を本体部９０の先端面から受光することで更新情報を受信する。
【００６８】
また、端末制御部１０４には、点検内容更新部１１８、時刻更新部１２０、識別コード判別部１２２、点検時刻取込部１２４、点検時刻判別部１２６、読取制御部１２８、点検終了判別部１３０、表示指示部１３２、交信指示部１３４、及び、情報書込部１３６としての機能実現部を備えている。ここで、点検内容更新部１１８は、点検管理装置１６から送信されてくる点検更新情報に基づいて点検端末装置１４により点検作業を実施する点検箇所の増減設定や点検時間帯の変更設定などを行うものであり、点検情報記憶部１０６に記憶されている点検箇所や点検時間帯などの点検作業内容を書き換えるものである。
【００６９】
すなわち、点検端末装置１４は、点検情報記憶部１０６に記憶されている点検箇所と一致する点検箇所につき、設定された点検時間帯にのみ通常点検用の識別コード３８、６４又は異常点検用の識別コード５４、８８を読み取ることで得られる識別情報と、異常ボタン９４ｃ及び変換ボタン９４ｄの押圧操作により得られる識別情報とを入力情報記憶部１０８に取り込み可能に構成されている。このため、点検作業を実施する点検箇所や点検時間帯などの点検作業内容に変更が生じたときは、点検情報記憶部１０６に記憶されている点検作業内容を書き換えておく必要がある。なお、本実施形態では、例えば、開店時、営業中、閉店時及び退店時の４回の所定の点検時間帯に安全点検作業を実施するようにしている。
【００７０】
時刻更新部１２０は、点検管理装置１６から送信されてくる時刻更新情報に基づいて点検端末装置１４に備わっているタイマー１１０から得る時刻を正確な時刻に更新するものである。すなわち、点検端末装置１４の時刻と点検管理装置１６の時刻とは管理面から常に一致させておく必要があることから、点検端末装置１４のタイマー１１０から得る時刻を点検管理装置１６から送信されてくる時刻更新情報に基づいて更新可能にしたものである。
【００７１】
識別コード判別部１２２は、通常点検用の識別コード３８、６４、異常点検用の識別コード５４、８８などを読み取ることで得られる識別情報のうち点検箇所情報が点検情報記憶部１０６に記憶されている点検箇所情報と合致するか否かを判別するものである。すなわち、読み取られた識別情報により予め設定されている巡回コース内の点検箇所であるか巡回コース外の点検箇所であるかを判別するものである。また、この識別コード判別部１２２は、異常ボタン９４ｃ及び変換ボタン９４ｄが操作されて「残留」、「異常」及び「その他」のうちのいずれか１の状態が端末制御部１０４を構成するＲＡＭなどの記憶部に一時的に取り込まれているか否かも記憶部に記憶されている識別情報を確認するなどして判別する。
【００７２】
点検時刻取込部１２４は、各点検箇所における点検作業の点検作業時刻をレーザ発光ボタン９４ｂの操作に対応させるなどしてタイマー１１０から取り込むものである。なお、最初の点検箇所における点検作業時刻を点検作業開始時刻とし、最後の点検箇所における点検作業時刻を点検作業終了時刻とする。点検時刻判別部１２６は、各点検箇所における点検作業が点検情報記憶部１０６に記憶されている点検時間帯に実施されているか否かを判別するものである。
【００７３】
読取制御部１２８は、それぞれの点検箇所における点検作業が点検情報記憶部１０６に記憶されている通常点検用の識別コード３８、６４、異常点検用の識別コード５４、８８などの識別情報と合致しており、しかも、点検情報記憶部１０６に記憶されている点検時間帯に行われた場合に、情報読取部９２により通常点検用の識別コード３８、６４、異常点検用の識別コード５４、８８などを読み取ることで得られる識別情報と、異常ボタン９４ｃ及び変換ボタン９４ｄの押圧操作により得られる識別情報とを入力情報記憶部１０８に取り込み可能（書き込み可能）にする一方、それぞれの点検箇所における点検作業が点検情報記憶部１０６に記憶されている通常点検用の識別コード３８、６４、異常点検用の識別コード５４、８８などの識別情報と合致していないか、あるいは、点検情報記憶部１０６に記憶されている点検時間帯に行われていない場合に、情報読取部９２により通常点検用の識別コード３８、６４、異常点検用の識別コード５４、８８などを読み取ることで得られる識別情報と、異常ボタン９４ｃ及び変換ボタン９４ｄの押圧操作により得られる識別情報とを入力情報記憶部１０８に取り込み不能（書き込み不能）にするものである。
【００７４】
すなわち、点検作業が点検情報記憶部１０６に記憶されている通常点検用の識別コード３８、６４、異常点検用の識別コード５４、８８などの識別情報と合致していないか、あるいは、点検情報記憶部１０６に記憶されている点検時間帯外に行われた場合には、通常点検用の識別コード３８、６４、異常点検用の識別コード５４、８８などの識別情報と合致していない点検箇所の点検作業あるいは点検時間帯外に行われた点検箇所の点検作業については入力情報記憶部１０８への識別情報の記憶が拒否されることになる。なお、本実施形態では、開店時、営業中、閉店時及び退店時の４回の点検時間帯のうち、閉店時及び退店時の点検時間帯については、点検開始から終了までの目標時間であるタイムリミット（例えば、３０分、６０分など）が設定されている。但し、そのタイムリミットを超えていても、点検時間帯内であれば識別情報を入力情報記憶部１０８に記憶できるように設定されている。
【００７５】
点検終了判別部１３０は、点検情報記憶部１０６に記憶されている点検箇所における点検作業が終了したか否かを入力情報記憶部１０８に記憶されている識別情報を確認するなどして判別するものである。
【００７６】
表示指示部１３２は、点検作業が点検情報記憶部１０６に記憶されている点検時間帯外に行われた場合に、端末制御部１０４を構成するＲＯＭなどの記憶部に記憶されている警告メッセージを読み出し、液晶表示部９６にその旨の警告表示をさせるものである。なお、液晶表示部９６には、点検箇所の名称などの必要な情報が警告メッセージと同時に表示される。
【００７７】
交信指示部１３４は、通信部１１６に対し、点検管理装置１６との交信を指示するものである。情報書込部１３６は、更新すべき点検作業内容を点検情報記憶部１０６に書き込むと共に、情報読取部９２により通常点検用の識別コード３８、６４、異常点検用の識別コード５４、８８などを読み取ることで得られる識別情報と、異常ボタン９４ｃ及び変換ボタン９４ｄの押圧操作により得られる識別情報と、情報読取部９２により個人コードを読み取ることで得られる個人情報とを入力情報記憶部１０８に書き込むものである。
【００７８】
図１に戻り、点検管理装置１６は、点検端末装置１４との間で交信を行う端末管理装置１３８と、端末管理装置１３８との間で交信を行う主管理装置１３９とから構成されている。この点検管理装置１６を構成する端末管理装置１３８は、点検端末装置１４から送信されてきた識別情報及び個人情報に基づき点検結果の管理を行うもので、図７に示すように、所定の演算処理を実行するＣＰＵ、所定の処理プログラムとデータとが記憶されたＲＯＭ、及び、処理データを一時的に記憶するＲＡＭからなるマイクロコンピュータなどにより構成された管理制御部１４０を備えている。
【００７９】
この管理制御部１４０には、受信部１４１と送信部１４２とを備えた第１の通信部１４３及び受信部１４４と送信部１４５とを備えた第２の通信部１４６がそれぞれ所定のインターフェイス回路を介して接続されている。第１の通信部１４３は、点検端末装置１４との間で光通信を行うものであり、第２の通信部１４６は、主管理装置１３９との間でケーブル通信を行うものである。
【００８０】
第１の通信部１４３の受信部１４１は、点検端末装置１４から光通信により送信されてきた識別情報及び個人情報を受信するものであり、赤外光を受光するフォトトランジスタなどの受光素子を含む半導体光素子（図９の符号１９４）に生成される信号を増幅する増幅部、増幅した信号を復調する復調部などにより構成されたものである。この受信部１４１で受信された識別情報及び個人情報は、後述する受信情報記憶部１５０に記憶される。
【００８１】
第１の通信部１４３の送信部１４２は、点検箇所の増減設定や点検時間帯の変更設定などの点検作業内容を更新する点検更新情報を点検端末装置１４に対し光通信により送信するものであり、点検更新情報を変調する変調部、変調信号を増幅する増幅部、増幅した変調信号により赤外光を出力する発光ダイオードなどの発光素子を含む半導体光素子（図９の符号１９４）を駆動する駆動部などにより構成されたものである。
【００８２】
第２の通信部１４６の受信部１４４は、主管理装置１３９から送信されてきた点検箇所の増減設定や点検時間帯の変更設定などの点検更新情報をケーブルを介して受信するものであり、受信した信号に対し所定の信号処理を行う信号処理部などにより構成されたものである。この受信部１４４で受信された点検箇所の増減設定や点検時間帯の変更設定などの点検更新情報は、後述する更新情報記憶部１５４に記憶される。
【００８３】
第２の通信部１４６の送信部１４５は、後述する受信情報記憶部１５０に記憶されている識別情報及び個人情報を主管理装置１３９にケーブルを介して送信するものであり、送信信号に対し所定の信号処理を行う信号処理部などにより構成されたものである。
【００８４】
また、管理制御部１４０には、システムの取り扱いなどを表示したりするディスプレイ１４８、点検端末装置１４から送信されてきた識別情報及び個人情報を記憶する受信情報記憶部１５０、主管理装置１３９から送信されてくるもので、点検端末装置１４を操作するオペレータの氏名、所属などの予め登録設定された個人情報を一時的に記憶する個人情報記憶部１５２、主管理装置１３９から送信されてくるもので、点検箇所の追加、修正、削除などの増減設定や点検時間帯の変更設定などの点検作業内容を更新する点検更新情報を一時的に記憶する更新情報記憶部１５４、点検端末装置１４から送信されてきた識別情報及び個人情報に基づく点検結果に対応したメッセージを記憶するメッセージ記憶部１５６、及び、点検端末装置１４から送信されてきた識別情報及び個人情報に基づく点検結果を短冊状の記録紙に記録する点検シートプリンタ１５８がそれぞれ所定のインターフェイス回路を介して接続されている。
【００８５】
また、管理制御部１４０には、点検判別部１６２、個人判別部１６４、受信制御部１６６、メッセージ読出部１６８、交信指示部１７０、情報書込部１７２、及び、シート編集部１７４としての機能実現部を備えている。ここで、点検判別部１６２は、点検端末装置１４から送信されてきた識別情報に基づいて所定の点検作業がすべて終了したか否かを更新情報記憶部１５４に記憶されている情報と対比するなどして判別するものである。
【００８６】
個人判別部１６４は、点検端末装置１４から送信されてきた個人情報に基づいて点検端末装置１４を用いて点検作業を実施したオペレータが主管理装置１３９に予め登録設定されているオペレータであるか否かを個人情報記憶部１５２に記憶されている情報と対比するなどして判別するものである。
【００８７】
受信制御部１６６は、個人判別部１６４で点検端末装置１４を用いて点検作業を実施したオペレータが主管理装置１３９に予め登録設定されているオペレータであると判別された場合に点検端末装置１４から送信されてくる識別情報の受信を可能にし、点検端末装置１４を用いて点検作業を実施したオペレータが端末管理装置１３８に予め登録設定されているオペレータではないと判別された場合に点検端末装置１４から送信される識別情報の受信を不能にするものである。
【００８８】
メッセージ読出部１６８は、点検端末装置１４から送信されてきた識別情報に基づく点検結果に対応したメッセージをメッセージ記憶部１５６から読み出すものである。なお、受信制御部１６６において、受信を可能にするとは、例えば、受信した識別情報を受信情報記憶部１５０に書き込む（取り込む）のを可能にするものであり、受信を不能にするとは、例えば、受信した識別情報を受信情報記憶部１５０に書き込む（取り込む）のを不能にするものである。
【００８９】
交信指示部１７０は、第１の通信部１４３に対し、点検端末装置１４との交信を指示するものである。情報書込部１７２は、更新すべき点検作業内容を更新情報記憶部１５４に書き込むと共に、点検端末装置１４から送信されてきた識別情報及び個人情報を受信情報記憶部１５０に書き込むものである。なお、更新情報記憶部１５４に書き込む更新すべき点検作業内容は、本実施形態では、主管理装置１３９から送信されてくるものである。
【００９０】
シート編集部１７４は、点検端末装置１４から送信されてきた識別情報及び個人情報に基づく点検結果を予め管理制御部１４０を構成するＲＯＭなどの記憶部に記憶されている絵柄情報などにメッセージ記憶部１５６から読み出したメッセージを加えて編集し、点検シートプリンタ１５８に対しプリント指示を与えるものである。
【００９１】
このように構成される端末管理装置１３８は、大型商業施設などの防災センターあるいは警備センターの受付窓口などに設置されるものであり、管理制御部１４０、ディスプレイ１４８及び点検シートプリンタ１５８が、図８に示すように、上部に複数の点検端末装置１４を収納保管するラック１８０を備えた管理台１８２に配置されている。すなわち、管理制御部１４０は、管理台１８２の下部に収納され、ディスプレイ１４８は、ラック１８０の下部中央に形成された空間部１８４内に収納され、点検シートプリンタ１５８は、ラック１８０の下部側端に配設されている。
【００９２】
また、管理台１８２の中間位置に手前側に張り出す台板１８６が設けられており、この台板１８６上に点検端末装置１４を収納支持する複数（図示では４台）の収納支持台１８８が所定間隔で配設されている。この収納支持台１８８は、図９に示すように、台座１９０上に点検端末装置１４を情報読取部９２が下側に位置するように立てた状態で収納支持する収納支持部１９２が配設されており、この収納支持部１９２に点検端末装置１４を収納支持させたときの点検端末装置１４の先端面に対向する位置に発光ダイオードなどの発光素子とフォトトランジスタなどの受光素子とを有する半導体光素子１９４が配設されたものである。
【００９３】
また、台座１９０上にはバーコードラベル１９６が貼着されることで識別コード１９８が付与されており、点検端末装置１４を収納支持部１９２に支持させる前に識別コード１９８を点検端末装置１４の情報読取部９２で読み取ることにより、点検端末装置１４に対し端末管理装置１３８との間での交信指示が与えられることになる。
【００９４】
このように構成された端末管理装置１３８では、テナントなどへの出勤時にラック１８０の所定位置に収納されている点検端末装置１４を持ち出して所定の点検時間帯に点検作業を実施し、この点検端末装置１４をテナントなどからの退出時に収納支持台１８８にセットして点検端末装置１４の点検作業に基づく識別情報を送信して点検結果を点検シートプリンタ１５８で短冊状の記録紙に打ち出す一方、点検更新情報を点検端末装置１４に送信することで点検端末装置１４による翌日以降の点検作業内容が更新されることになる。その後、この点検作業内容の更新された点検端末装置１４は、ラック１８０の所定位置に収納されることになる。
【００９５】
図１に戻り、点検管理装置１６を構成する主管理装置１３９は、端末管理装置１３８から送信されてきた識別情報に基づき日報などの報告書を作成するなどして点検結果の全体的な管理を行うと共に、点検端末装置１４による点検箇所の増減設定や点検時間帯の変更設定などの更新すべき点検作業内容を入力設定するもので、図１０に示すように、所定の演算処理を実行するＣＰＵ、所定の処理プログラムとデータとが記憶されたＲＯＭ、及び、処理データを一時的に記憶するＲＡＭからなるマイクロコンピュータなどにより構成された主管理制御部２００を備えている。
【００９６】
この主管理制御部２００には、受信部２０２及び送信部２０４を備えた通信部２０６が所定のインターフェイス回路を介して接続されている。この受信部２０２は、端末管理装置１３８から送信されてきた識別情報及び個人情報をケーブルなどを介して受信するものである。送信部２０４は、入力設定した更新すべき点検箇所の増減設定や点検時間帯の変更設定などの点検作業内容を点検更新情報として端末管理装置１３８に対しケーブルなどを介して送信するものである。
【００９７】
また、主管理制御部２００には、日報などの報告書を表示したりするディスプレイ２０８、更新すべき点検箇所の増減設定や点検時間帯の変更設定などの点検作業内容を入力設定すると共に、点検端末装置１４のオペレータの氏名、所属などの個人情報及び点検端末装置１４による点検時間帯を登録設定するキーボードなどの入力端末部２１０、端末管理装置１３８から送信されてきた識別情報及び個人情報を記憶する受信情報記憶部２１２、点検端末装置１４を操作するオペレータの氏名、所属などの予め登録設定した個人情報を記憶する個人情報記憶部２１４、入力設定した点検箇所の追加、修正、削除などの増減設定や点検時間帯の変更設定などの点検作業内容を点検更新情報として記憶する更新情報記憶部２１６、点検端末装置１４の点検時間帯の変更設定を行う日時情報を得るためのカレンダー機能を有するタイマー２１８、及び、端末管理装置１３８から送信されてきた識別情報及び個人情報に基づく点検結果を記録紙に記録する報告書プリンタ２２０がそれぞれ所定のインターフェイス回路を介して接続されている。
【００９８】
また、主管理制御部２００には、交信指示部２２６、情報書込部２２８、制限時間判別部２３０、報告書編集部２３２、及び、編集終了判別部２３４としての機能実現部を備えている。ここで、交信指示部２２６は、通信部２０６に対し、端末管理装置１３８との交信を指示するものである。情報書込部２２８は、端末管理装置１３８から送信されてきた識別情報及び個人情報を受信情報記憶部２１２に書き込む一方、入力端末部２１０で登録設定した個人情報を個人情報記憶部２１４に書き込み、入力端末部２１０で入力設定した点検作業内容を更新情報記憶部２１６に書き込むものである。
【００９９】
制限時間判別部２３０は、閉店時及び退店時に実施される点検作業が上述した点検開始から終了までの目標時間であるタイムリミット内（制限時間内）に終了したか否かを判別するものである。報告書編集部２３２は、端末管理装置１３８から送信されてきた識別情報及び個人情報に基づく点検結果を一覧表などの表形式に編集するものである。編集終了判別部２３４は、すべての点検作業について編集作業が終了したか否かを判別するものである。
【０１００】
なお、個人情報記憶部２１４に書き込まれた個人情報は、端末管理装置１３８を介して点検端末装置１４に送信する際に端末管理装置１３８の個人情報記憶部１５２に一時的に記憶されることになる。また、更新情報記憶部２１６に書き込まれた点検作業内容は、端末管理装置１３８を介して点検端末装置１４に送信する際に端末管理装置１３８の更新情報記憶部１５４に一時的に記憶されることになる。
【０１０１】
図１１は、点検端末装置１４の点検作業時の動作を概略的に説明するためのフローチャートの一例を示す図である。テナントなどへの入所時に防災センターなどに設置されているラック１８０の所定位置から持ち出した点検端末装置１４の電源ボタン９４ａがオンにされることで点検端末装置１４が駆動可能な状態にされ、レーザ発光ボタン９４ｂを巡回ルート内にある点検箇所ごとに順次オンにして点検作業が実施される。
【０１０２】
なお、本実施形態では、巡回ルート内に本発明に係る識別コード付着装置１２が配設された点検箇所に加え、ドアの鍵部近傍などにバーコードラベルを貼着するなどして常に視認可能で読み取り可能な状態の識別コード（常時読取用の識別コード）が付与された点検箇所も含んでいるものとする。この常時読取用の識別コードは、本実施形態では、ドアの施錠などの火災発生などの重大事故につながらない点検箇所などに適用されるもので、通常点検用の識別コード３８、６４と同様に、火気点検や施錠点検などの点検内容の種別、点検箇所などの識別情報を含むものである。
【０１０３】
また、この常時読取用の識別コードが付与された点検箇所においては、勤務者の居残りなどのない正常な通常の点検ができる場合は当該識別コードを読み取るだけでよいが、勤務者の居残りなどにより正常な通常の点検ができない場合は当該識別コードの読み取りに加え、異常ボタン９４ｃ及び変換ボタン９４ｄを操作することで「残留」、「異常」及び「その他」のうちのいずれかの状態を入力することになる。
【０１０４】
まず、点検作業の開始に先立ってオペレータのネームプレートなどに付与されている個人コードに情報読取部９２を宛がった状態でレーザ発光ボタン９４ｂをオンにすることで個人コードの読み取りが行われ、これにより取得された個人情報が情報書込部１３６により入力情報記憶部１０８に取り込まれる（ステップＳ１）。
【０１０５】
次いで、巡回ルートにある点検箇所における識別コード付着装置１２に付与されている通常点検用の識別コード３８、６４又は異常点検用の識別コード５４、８８、あるいは、ドアの鍵部近傍などに付与された常時読取用の識別コードに情報読取部９２を宛がった状態でレーザ発光ボタン９４ｂをオンにすることで識別コードの読み取りが行われ（ステップＳ３）、これにより取得された識別情報が情報書込部１３６により端末制御部１０４を構成するＲＡＭなどの記憶部に一時的に記憶される。なお、識別コードの読み取りが行われると、それと対応して点検時刻取込部１２４により点検作業時刻が時刻情報としてタイマー１１０から取り込まれ、ＲＡＭなどの記憶部に一時的に記憶される。
【０１０６】
このステップＳ３において、異常点検用の識別コード５４、８８が読み取られた場合、あるいは、常時読取用の識別コードの読み取り時に勤務者の居残りなどにより正常な通常の点検ができない場合は、異常ボタン９４ｃ及び変換ボタン９４ｄが操作されて「残留」、「異常」及び「その他」のうちのいずれか１の状態が選択され、この選択された識別情報が端末制御部１０４を構成するＲＡＭなどの記憶部に一時的に記憶されることになる。
【０１０７】
次いで、ＲＡＭなどの記憶部に記憶された識別情報が点検情報記憶部１０６に記憶されている通常点検用の識別コード３８、６４又は常時読取用の識別コードと少なくとも点検箇所情報において合致するか否かが識別コード判別部１２２により判別される（ステップＳ５）。このステップＳ５での判別が肯定されると、点検作業が予め設定されている点検時間帯に実行されているか否かが点検時刻判別部１２６によりＲＡＭなどの記憶部に記憶されている点検作業開始時刻に基づいて判別される（ステップＳ７）。
【０１０８】
このステップＳ７での判別が肯定されると、「残留」、「異常」及び「その他」のうちのいずれか１の状態がＲＡＭなどの記憶部に取り込まれているか否かが識別コード判別部１２２により判別される（ステップＳ９）。このステップＳ９での判別が肯定されると、ＲＡＭなどの記憶部に記憶されている識別情報及び時刻情報が情報書込部１３６により入力情報記憶部１０８に取り込まれることになる（ステップＳ１１）。
【０１０９】
次いで、巡回ルートにある点検箇所における識別コード付着装置１２に付与されている通常点検用の識別コード３８、６４又は異常点検用の識別コード５４、８８、あるいは、常時読取用の識別コードの読み取りがすべて実行されたか否かが点検終了判別部１３０により点検情報記憶部１０６に記憶されている情報に基づき判別される（ステップＳ１３）。このステップＳ１３での判別が肯定されると、点検作業は終了する。
【０１１０】
一方、ステップＳ７での判別が否定されると、表示指示部１３２により液晶表示部９６に警告表示がなされ（ステップＳ１５）、引き続きステップＳ１３に移行し、それ以降の各ステップが順次実行される。この場合の警告表示は、点検時間帯外の点検作業である旨の内容が表示されることになる。ステップＳ１３での判別が否定されると、ステップＳ３に戻り、それ以降のステップが順次実行される。また、ステップＳ５での判別が否定されると、ＲＡＭなどの記憶部に記憶されている識別情報が点検情報記憶部１０６に記憶されている異常点検用の識別コード５４、８８と少なくとも点検箇所情報において合致するか否かが識別コード判別部１２２により判別される（ステップＳ１７）。
【０１１１】
このステップＳ１７での判別が肯定されると、点検作業が予め設定されている点検時間帯に実行されているか否かが点検時刻判別部１２６によりＲＡＭなどの記憶部に記憶されている点検作業開始時刻に基づいて判別される（ステップＳ１９）。このステップＳ１９での判別が肯定されると、ステップＳ１１に移行し、それ以降のステップが順次実行される。
【０１１２】
また、ステップＳ９での判別が否定されると、ステップＳ１３に移行し、それ以降のステップが順次実行される。さらに、ステップＳ１７又はステップＳ１９での判別が否定されると、ステップＳ１５に移行し、表示指示部１３２により液晶表示部９６に警告表示がなされ、引き続いてステップＳ１３に移行し、それ以降の各ステップが順次実行される。このステップＳ１７から移行する場合の警告表示は、巡回コース外の点検作業である旨の内容が表示されることになり、ステップＳ１９から移行する場合の警告表示は、点検時間帯外の点検作業である旨の内容が表示されることになる。
【０１１３】
図１２は、点検端末装置１４の端末管理装置１３８との交信動作を概略的に説明するためのフローチャートの一例を示す図である。まず、オペレータなどの退出時に点検端末装置１４により防災センターなどに設置されている端末管理装置１３８の収納支持台１８８の台座１９０に付与されている識別コード１９８を読み込むことで、送信指示の取り込みが実行される（ステップＳ２１）。
【０１１４】
その後、点検端末装置１４が端末管理装置１３８の収納支持台１８８にセットされ、交信指示部１３４により通信部１１６に対し交信指示が与えられることで、入力情報記憶部１０８に記憶されている個人情報、識別情報及び時刻情報が読み出されて送信部１１２により端末管理装置１３８に送信される（ステップＳ２３）。このとき、端末管理装置１３８から送信されてきた点検更新情報が受信部１１４により受信され、この受信された点検更新情報が点検内容更新部１１８及び時刻更新部１２０により点検情報記憶部１０６に書き込まれる（ステップＳ２５）。なお、点検端末装置１４と端末管理装置１３８との間で実際に交信動作を行う際には、両者の間で種々の交信が行われ、そのための判別ステップなどを含むものであるが、ここではそれらのステップの説明を省略している。
【０１１５】
図１３は、端末管理装置１３８の管理動作を概略的に説明するためのフローチャートの一例を示す図である。まず、点検端末装置１４が端末管理装置１３８の収納支持台１８８にセットされたのち、交信指示部１７０により第１の通信部１４３に対し交信指示が与えられることで、点検端末装置１４から送信されてきた個人情報、識別情報及び時刻情報が受信部１４１により受信される（ステップＳ３１）。この受信された個人情報、識別情報及び時刻情報は、情報書込部１７２により受信情報記憶部１５０に書き込まれる。
【０１１６】
次いで、受信された個人情報及び識別情報に基づき所定の点検作業が正常に終了しているか否かが点検判別部１６２及び個人判別部１６４により判別される（ステップＳ３３）。すなわち、点検判別部１６２では、送信されてきた識別情報に基づいて所定の点検作業がすべて正常に終了しているか否かが判別され、個人判別部１６４では、送信されてきた個人情報に基づいて点検作業を実施したオペレータが予め登録設定されているオペレータと一致するか否かを判別する。
【０１１７】
ステップＳ３３での判別が肯定されると、点検作業終了メッセージがメッセージ読出部１６８によりメッセージ記憶部１５６から読み出され（ステップＳ３５）、その後に短冊状の記録紙にプリントされる（ステップＳ３７）。この記録紙には、例えば、図１４に示すように、絵柄マーク、点検箇所、点検作業が正常に終了したことを表わすメッセージなどが表示される。
【０１１８】
ステップＳ３３での判別が否定されると、警告メッセージがメッセージ読出部１６８によりメッセージ記憶部１５６から読み出され（ステップＳ３９）、ステップＳ３７に移行して短冊状の記録紙にプリントされる。この記録紙には、異常ボタン９４ｃ及び変換ボタン９４ｄの操作による識別情報が存在している場合は、例えば、図１５に示すように、絵柄マーク、点検箇所、勤務者が残留していることを表わすメッセージなどが表示される。
【０１１９】
また、退店時の点検時間帯における点検作業（最終点検）は正常に行われているが、営業中などの点検時間帯における点検作業において未点検箇所があった場合などには、例えば、図１６に示すように、絵柄マーク、点検箇所、未点検箇所があったことを表わすメッセージなどが表示される。また、退出時の点検時間帯における点検作業において未点検箇所があった場合などには、例えば、図１７に示すように、点検作業のやり直しを命じるメッセージなどが表示される。
【０１２０】
図１８は、主管理装置１３９の管理動作を概略的に説明するためのフローチャートの一例を示す図である。主管理装置１３９では、端末管理装置１３８から送信されてきた個人情報、識別情報及び時刻情報が受信部２０２により受信され、情報書込部２２８により受信情報記憶部２１２に書き込まれた状態となっている。なお、このフローチャートは、閉店時及び退店時に点検作業を実施する場合のものである。
【０１２１】
まず、点検端末装置１４による点検作業が予め設定されたタイムリミット内（制限時間内）に終了したか否かが制限時間判別部２３０により判別される（ステップＳ４１）。このステップＳ４１での判別が否定されると、後述する報告書の制限時間結果欄に「×」印を記録するための制限時間オーバー処理が実行される（ステップＳ４３）。その後、点検箇所ごとのデータ編集が報告書編集部２３２により実行される（ステップＳ４５）。なお、ステップＳ４１での判別が肯定されると、ステップＳ４５に移行する。
【０１２２】
次いで、すべての点検箇所についてのデータ編集が終了したか否かが編集終了判別部２３４により判別される（ステップＳ４７）。このステップＳ４７での判別が否定されると、ステップＳ４１に戻って以降のステップが実行される。ステップＳ４７での判別が肯定されると、その後に所定サイズの記録紙に日報などの報告書がプリントされる（ステップＳ４９）。この報告書は、例えば、図１９に示すように、点検箇所、点検時間、点検結果などを一覧表として編集したものである。この図１９に示す報告書は、安全点検管理システム１０が、識別コード付着装置１２が配設された点検箇所に加え、ドアの鍵部近傍などに常に読み取り可能な状態の常時読取用の識別コードが付与された点検箇所も含めて構成されたものである場合の例である。
【０１２３】
本発明に係る安全点検管理システム１０及び識別コード付着装置１２は、以上説明したように構成されているので、点検対象機器が火災発生などの重大事故につながるものである場合は当該点検対象機器が稼動不可能な状態にある場合にだけ識別コードを読み取ることができることになり、点検ミスの発生を効果的に抑制することができる。なお、本発明に係る安全点検管理システム１０及び識別コード付着装置１２は、上記実施形態のものに限定されるものではなく、以下に述べるような種々の変形態様を必要に応じて採用することができる。
【０１２４】
（１）上記実施形態では、点検端末装置１４による点検結果を端末管理装置１３８と主管理装置１３９とからなる点検管理装置１６により管理するようにしているが、これに限るものではない。例えば、日報などの報告書を必要としない場合などでは主管理装置１３９をなくすようにし、端末管理装置１３８のみで点検管理装置１６を構成してもよい。また、端末管理装置１３８と主管理装置１３９とを設ける場合でも、主管理装置１３９に端末管理装置１３８の機能を持たせる構成とすることも可能であるし、端末管理装置１３８に主管理装置１３９の機能を持たせる構成とすることも可能である。要は、端末管理装置１３８の機能と主管理装置１３９の機能とを一体化させることで、点検端末装置１４により識別コードを読み取ることで得られた識別情報に基づき点検結果の管理を行う点検管理装置１６とすることができる。
【０１２５】
なお、端末管理装置１３８と主管理装置１３９とを個別に設ける場合、本実施形態では両者間でケーブルを介して通信を行うようにしているが、ケーブルを介さない無線方式により通信を行うようにすることもできる。また、端末管理装置１３８と主管理装置１３９とを個別に設ける場合、一台の主管理装置１３９に別の施設に設置するなどした複数の端末管理装置１３８を接続することもできる。
【０１２６】
（２）上記実施形態では、安全点検管理システム１０は、その動作説明においては、識別コード付着装置１２が配設された点検箇所に加え、巡回コース内にあるドアの鍵部近傍などにバーコードラベルを貼着するなどして常に視認可能な状態の識別コードを付与した点検箇所も含めた構成としているが、これに限るものではない。例えば、識別コード付着装置１２が配設された点検箇所のみから構成されるものであってもよい。
【０１２７】
（３）上記実施形態では、点検端末装置１４と端末管理装置１３８との交信は光通信により実行するようにしたものであるが、これに限るものではない。例えば、点検端末装置１４と端末管理装置１３８との交信を電波により実行するようにしたり、ＬＡＮなどのネットワークを介して実行するようにしたりすることもできる。
【０１２８】
（４）上記実施形態では、端末管理装置１３８は、受信情報記憶部１５０、個人情報記憶部１５２及び更新情報記憶部１５４を備えているが、これに限るものではない。例えば、各記憶部の機能を管理制御部１４０を構成するＲＡＭなどの記憶部に持たせるようにすることも可能である。
【０１２９】
（５）上記実施形態では、識別コード付着装置１２の遮蔽部材２８は、遮蔽板４２が回動可能に支持されたものであるが、これに限るものではない。例えば、遮蔽板４２が左右方向にスライドされて移動するように構成されたものであってもよい。要は、遮蔽板４２が、通常点検用の識別コード３８を覆う位置と当該識別コード３８を露出させる位置とに移動可能になっておればよい。
【０１３０】
（６）上記実施形態では、識別コード付着装置１２を構成する電源コンセント２０は、コンセントカバー２２を嵌合させたものであるが、これに限るものではない。例えば、電源コンセント２０を所定の基板上に取り付け、この基板上に通常点検用の識別コード３８及び異常点検用の識別コード５４を付与するようにした構成であってもよい。
【０１３１】
（７）上記実施形態では、識別コード付着装置１２を構成する調光ガラス５８は、電圧を印加した場合に透視状態になるように構成されたものであるが、これに限るものではない。例えば、電圧を印加した場合に不透視状態になるように構成されたものであってもよい。
【０１３２】
（８）上記実施形態では、通常点検用の識別コード３８、６４及び異常点検用の識別コード５４、８８は、バーコードラベル３６、６２及びバーコードラベル５２、８６を貼着することにより付与したものであるが、これに限るものではない。例えば、コンセントカバー２２の表面や取付基板５６の表面などに直接印刷することにより付与することもできる。また、異常点検用の識別コード５４、８８を付与する個所は、図２（識別コード５４の場合）及び図３（識別コード８８の場合）に示す位置に限定されるものではなく、その目的を達成し得る位置であれば如何なるところであってもよい。
【０１３３】
（９）上記実施形態では、識別コード付着装置１２に対して通常点検用の識別コード３８、６４及び異常点検用の識別コード５４、８８をそれぞれ１種類のみ設けるようにしたものであるが、これに限るものではない。例えば、テナントなどのオペレータだけではなく、点検作業者に対応して色分けなどした複数種類の通常点検用の識別コード３８、６４及び異常点検用の識別コード５４、８８を設けておき、防災センターあるいは警備センターに詰めている警備員などを含めた複数人（例えば、現場担当者、フロア責任者、警備担当者）により各人の専用の識別コードを読み取ることで多重点検を行うようにしてもよい。この場合、点検結果を点検作業者ごとに個別に管理することが可能になる。なお、同一の通常点検用の識別コード３８、６４及び異常点検用の識別コード５４、８８を複数人（例えば、現場担当者、フロア責任者、警備担当者）により読み取ることで多重点検を行うこともできる。
【０１３４】
（１０）上記実施形態では、識別コード付着装置１２には、通常点検用の識別コード３８、６４に加え、異常点検用の識別コード５４、８８を設けるようにしているが、これに限るものではない。例えば、同一の巡回コース内で点検箇所の点検順序が予め設定されているような場合などでは、主として点検箇所を特定するための異常点検用の識別コード５４、８８は必ずしも必要としない。このように、異常点検用の識別コード５４、８８を用いない場合では、異常点検入力時に最初に異常ボタン９４ｃを押圧操作すればよい。
【０１３５】
なお、通常点検用の識別コード３８、６４に加えて異常点検用の識別コード５４、８８を設けておくようにすると、安全点検箇所の点検対象機器が稼動可能な状態にあるときでも異常点検用の識別コード５４、８８を読み取ることで点検箇所を特定することができることから、巡回ルート内であれば点検箇所の点検順序をその時々で自由に変更することが可能となる。
【０１３６】
（１１）上記実施形態では、点検端末装置１４は、異常点検用の識別コード５４、８８を読み取ることで異常入力モードに自動的に変換されるようになっているが、これに限るものではない。例えば、異常点検用の識別コード５４、８８を読み取った場合であっても、異常ボタン９４ｃを押圧操作しないと異常入力モードに設定されないようにすることも可能である。
【０１３７】
（１２）上記実施形態では、点検端末装置１４のオペレータを主管理装置１３９に予め登録しておく一方、点検端末装置１４による点検作業に先立ってオペレータの個人コードを読み取るようにしているが、これに限るものではない。例えば、オペレータを主管理装置１３９に予め登録することなく、誰でも点検端末装置１４による点検作業を実施するようにすることもできる。
【０１３８】
（１３）上記実施形態では、点検端末装置１４において、点検情報記憶部１０６や入力情報記憶部１０８などの複数の記憶部を設けているが、これに限るものではない。例えば、１つの記憶部で兼用するようにすることもできる。また、端末管理装置１３８において、受信情報記憶部１５０や更新情報記憶部１５４などの複数の記憶部を設けているが、これに限るものではない。例えば、１つの記憶部で兼用するようにすることもできる。また、主管理装置１３９において、受信情報記憶部２１２や更新情報記憶部２１６などの複数の記憶部を設けているが、これに限るものではない。例えば、１つの記憶部で兼用するようにすることもできる。
【０１３９】
（１４）上記実施形態では、更新すべき点検箇所の増減設定や点検時間帯の変更設定などの入力を主管理制御部２００に接続された入力端末部２１０により実行するようにしているが、これに限るものではない。例えば、主管理装置１３９に接続された各種データのメンテナンスを行う管理パーソナルコンピュータを別に設けておき、この管理パーソナルコンピュータにより更新すべき点検箇所の増減設定や点検時間帯の変更設定などの入力を実行するようにしてもよい。また、この管理パーソナルコンピュータに接続されたプリンタにより日報などの報告書をプリントするようにすることもできる。こうした場合、端末管理装置１３８及び主管理装置１３９は、各種データの保管場所として機能することになる。
【図面の簡単な説明】
【０１４０】
【図１】本発明の一の実施形態に係る安全点検管理システムの構成を概略的に示す図である。
【図２】図１に示す安全点検管理システムに適用される識別コード付着装置の一の実施例を示す図で、（ａ）は、その正面図、（ｂ）は、（ａ）に示す正面図のＡ−Ａ線における断面図である。
【図３】図１に示す安全点検管理システムに適用される識別コード付着装置の他の実施例を示す図で、（ａ）は、識別コードが読み取り可能な状態にある場合を示す図、（ｂ）は、識別コードが読み取り不能な状態にある場合を示す図である。
【図４】図３に示す識別コード付着装置を構成する調光ガラスの構造を示す図である。
【図５】図１に示す安全点検管理システムを構成する点検端末装置の斜視図である。
【図６】図５に示す点検端末装置の制御構成を示すブロック図である。
【図７】図１に示す安全点検管理システムを構成する点検管理装置の制御構成を示すブロック図である。
【図８】図１に示す安全点検管理システムを構成する点検管理装置を配置する管理台を示す図である。
【図９】図８に示す管理台に設置される収納支持台の構成を示す図である。
【図１０】図１に示す安全点検管理システムを構成する主管理装置の制御構成を示すブロック図である。
【図１１】図１に示す安全点検管理システムを構成する点検端末装置の制御動作を概略的に説明するためのフローチャートである。
【図１２】図１に示す安全点検管理システムを構成する点検端末装置の点検管理装置との交信動作を概略的に説明するためのフローチャートである。
【図１３】図１に示す安全点検管理システムを構成する端末管理装置の管理動作を概略的に説明するためのフローチャートである。
【図１４】記録紙の記録内容を説明するための図である。
【図１５】記録紙の記録内容を説明するための図である。
【図１６】記録紙の記録内容を説明するための図である。
【図１７】記録紙の記録内容を説明するための図である。
【図１８】図１に示す安全点検管理システムを構成する主管理装置の管理動作を概略的に説明するためのフローチャートである。
【図１９】記録紙の日報などの報告書の内容を説明するための図である。
【符号の説明】
【０１４１】
１０  安全点検管理システム
１２  識別コード付着装置
１４  点検端末装置
１６  点検管理装置
２０  電源コンセント
２２  コンセントカバー（カバー）
２８  遮蔽部材
４０  支持板
４２  遮蔽板
５４、８８  通常点検用の識別コード（識別コード）
６０  取付基板（基板）
５２  調光ガラス
７２  透明導電膜
７４  板ガラス
７６  液晶
９２  情報読取部
９６  液晶表示部
１０８  入力情報記憶部
１１０  タイマー
１１２  送信部
１１４  受信部
１１８  点検内容更新部
１２０  時刻更新部
１２２  識別コード判別部
１２６  点検時刻判別部
１２８  読取制御部
１３８  端末管理装置
１３９  主管理装置
１４１、１４４  受信部
１４２，１４５  送信部
１５６  メッセージ記憶部
１５８  点検シートプリンタ（プリンタ）
１６２  点検判別部
１６４  個人判別部
１６６  受信制御部
１６８  メッセージ読出部
【図１】
2008305008.tif 000003
【図２】
2008305008.tif 000004
【図３】
2008305008.tif 000005
【図４】
2008305008.tif 000006
【図５】
2008305008.tif 000007
【図６】
2008305008.tif 000008
【図７】
2008305008.tif 000009
【図８】
2008305008.tif 000010
【図９】
2008305008.tif 000011
【図１０】
2008305008.tif 000012
【図１１】
2008305008.tif 000013
【図１２】
2008305008.tif 000014
【図１３】
2008305008.tif 000015
【図１４】
2008305008.tif 000016
【図１５】
2008305008.tif 000017
【図１６】
2008305008.tif 000018
【図１７】
2008305008.tif 000019
【図１８】
2008305008.tif 000020
【図１９】
2008305008.tif 000021